(57)【要約】【課題】コーキング施工に必要なコーキングノズルのコーキング剤の吐出口の径及び計測した入隅幅の寸法から適切なコーキング剤の吐出口の径を選択できるとともに、コーキングノズルが維持すべき角度が判断でき、迅速且つ仕上がりの美しいコーキング施工が可能なコーキングノズルを提供する。【解決手段】本考案のコーキングノズル１は、複数の直線マークＴと、この直線マーク上の切断マークＡと、この切断マークＡの近傍に切断マークＡにおいて軸方向と直交する直交切断面により形成されるコーキング剤の吐出口の直径を表す数字Ｍが設けられている。また、他の直線マーク上の切断マークＢと、この切断マークＢの近傍に切断マークＢにおいて軸方向と直交する直交切断面により形成されるコーキング剤の吐出口の直径を２の平方根で除した数字Ｎが設けられている。このため、平面の目地も入隅部の目地も容易にコーキング施工に必要なノズル径を選択できる。【選択図】図３
0003150055.tif 000002
【実用新案登録請求の範囲】
【請求項１】
コーキングノズルであって、該コーキングノズルのノズル部の外周面上に、
（１）軸方向に記した複数の直線マークと、
（２）上記複数の直線マークのうちの少なくとも一本の直線マークに付された切断マークと、
該切断マークにおいて軸方向と直交する直交切断面により形成されるコーキング剤吐出口の直径を表す数字と、
（３）上記複数の直線マークのうちの少なくとも他の一本の直線マーク上に付された他の切断マークと、
該他の切断マークにおいて軸方向と直交する直交切断面により形成されるコーキング剤吐出口の直径を２の平方根で除した数字と
を備えることを特徴とするコーキングノズル。
【請求項２】
上記複数の直線マークが４本である請求項１記載のコーキングノズル。
【請求項３】
上記ノズル部の軸方向と直交する直交切断面形状が楕円であって、上記複数の直線マークのうちの少なくとも一本の直線マークは上記楕円の長軸の一方の端点を通り、上記複数の直線マークのうちの少なくとも他の一本の直線マークは上記楕円の短軸の一方の端点を通る請求項１又は請求項２に記載のコーキングノズル。
【考案の詳細な説明】
【技術分野】
【０００１】
本考案は、コーキングノズルに関する。詳しくはコーキングノズルのノズル部に、コーキング施工をする際にコーキング角度を判断するための直線マークと、コーキング施工個所に適したコーキング量を知るためのコーキング剤吐出口の径の寸法及びコーキング入隅幅の寸法が記されたコーキングノズルに関する。
【背景技術】
【０００２】
コーキングノズルのノズル部の一部を切断してコーキング剤の吐出口を加工して種々の形状にして、コーキング施工を行う方法が提案されている。例えば、目地部分にコーキング剤を帯状に供給して施工個所の隙間（以下「目地」という。）を塞ぐ方法が特許文献１に開示されている。また、入隅部のコーキングノズルに関しては特許文献２に開示されている。
【０００３】
しかし、コーキングに使用するノズルのコーキング剤の吐出口の所望の口径を得ることは容易ではない。従来のコーキングノズルは、どの部分でコーキングノズルの一部を切断すれば所望のコーキング剤吐出口の口径が得られのかがわからないため、コーキング施工者は勘を頼りにノズル部の一部を切断していた。このため、所望のコーキング剤吐出口の口径が得られず、コーキングノズルを無駄にすることもあった。また、入隅部のコーキング幅を決定してもコーキング剤吐出口の口径の寸法がわからないため、入隅部の適切なコーキング施工ができないことがある。さらに、コーキングノズルを適切な角度を維持しつつコーキング施工をするのは、長年の熟練が必要とされていた。
【特許文献１】特開２００１−２１４６０７号公報
【特許文献２】実用新案登録第３１０３５７６号公報
【考案の開示】
【考案が解決しようとする課題】
【０００４】
本願考案は上記課題を解決するものであり、コーキング施工に必要なコーキングノズルのコーキング剤吐出口の径及びコーキング入隅幅の寸法から適切なコーキング剤の吐出口の径を選択できるとともに、コーキングノズルが維持すべき角度が判断でき、迅速且つ仕上がりの美しいコーキングを施すことのできるコーキングノズルを提供する。
【課題を解決するための手段】
【０００５】
本願考案は下記のとおりである。
１．樹脂製のコーキングノズルであって、該コーキングノズルのノズル部の外周面上に、
（１）軸方向に記した複数の直線マークと、
（２）上記複数の直線マークのうちの少なくとも一本の直線マーク上に付された切断マークと、
該切断マークにおいて軸方向と直交する直交切断面により形成されるコーキング剤吐出口の直径を表す数字と、
（３）上記複数の直線マークのうちの少なくとも他の一本の直線マークに付された他の切断マークと、
該他の切断マークにおいて軸方向と直交する直交切断面により形成されるコーキング剤吐出口の直径を２の平方根で除した数字と
を備えることを特徴とするコーキングノズル。
２．上記複数の直線マークが４本である請求項１記載のコーキングノズル。
３．上記ノズル部の軸方向と直交する直交切断面形状が楕円であって、上記複数の直線マークのうちの少なくとも一本の直線マークは上記楕円の長軸の一方の端点を通り、上記複数の直線マークのうちの少なくとも他の一本の直線マークは上記楕円の短軸の一方の端点を通るコーキングノズル。
【考案の効果】
【０００６】
本願考案のコーキングノズルのノズル部には、軸方向に複数の直線マークが記されているため、コーキング時にコーキングノズルがコーキング対象の目地に対して維持すべき角度が判断できる。
また、この直線マークの少なくとも１本には切断マークとコーキング剤の吐出口の直径を表す数字が記されているため、この切断マークの位置でノズル封止部を切断すれば所望のコーキング剤吐出口の径が得られる。このため、コーキング施工すべき目地幅寸法と同一のコーキング剤の吐出口の径を選択すれば、この目地部分にコーキング剤を帯状に供給して施工個所の隙間を容易に塞ぐことができる。
更に、複数の直線マークのうちの少なくとも他の一本の直線マークに付された他の切断マークと、該他の切断マークにおいて軸方向と直交する直交切断面により形成されるコーキング剤の吐出口の直径を２の平方根で除した数字が記されているため、入隅幅の寸法がわかれば所望のコーキング剤吐出口の径を選択できる。ここでコーキング入隅幅とは図８で表すＷのことをいう。
【０００７】
また、平面視で４本の直線マークが相互に直角に接するため、コーキング施工をする場合に施工をするコーキング箇所及び／又はコーキング姿勢にかかわらず常にコーキングノズルの目地に対する角度がチェックできるため迅速且つ仕上がりの美しいコーキングを施すことができる。
更に、ノズル部の軸方向と直交する直交切断面形状が楕円である場合は、入隅部のコーキング施工をする際に、入隅部の２面の壁に対してコーキングノズルを安定して接触させることができるとともに、上記複数の直線マークのうちの少なくとも一本の直線マークは上記楕円の長軸の一方の端点を通り、上記複数の直線マークのうちの少なくとも他の一本の直線マークは上記楕円の短軸の一方の端点を通るため、コーキングノズルの維持すべき角度の確認が容易であり、迅速且つ仕上がりの美しいコーキングを施すことができる。
【考案を実施するための最良の形態】
【０００８】
本願考案のコーキングノズルを実施するための最良の形態を下記に説明する。本願コーキングノズルの材質は特に限定されないが、樹脂であることが好ましい。ノズル部の一部を切断して適切な口径のコーキング剤吐出口を形成しなくてはならないため、切断が容易であることが求められるからである。材質は樹脂であれば特に限定されない。例えば、熱可塑性樹脂、熱硬化性樹脂、触媒または熱、光等の外部エネルギーを加えることで硬化する樹脂のいずれも用いることができる。これらのうちで、熱可塑性樹脂のポリエチレンが特に好ましい。マークの形成、ノズル部の切断が容易で且つ安価なためである。
【０００９】
以下図を用いて説明する。なお、本願考案はこれらの図に限定されるものではない。図１、図２、図３及び図４は、本願考案のコーキングノズルの正面図、背面図、平面図及び図１に係るＤ−Ｄ断面図を表す。本願考案のコーキングノズル１はノズル部１０とノズル取付部１２を備える。また、コーキング剤封止部１１を備えることもできる。コーキング剤封止部１１を備えるコーキングノズル１を使用する場合は、コーキング剤収納部（図示しない）にノズル取付部１２を取付け、ノズル部１０の一部を切断して、コーキング剤吐出口１３を露出させる。
【００１０】
本願考案のコーキングノズル１は、図３が示すように軸（図４参照）方向に記された複数の直線マークＴを備える。この直線マークＴの数は複数であれば特に限定はないが好ましくは図３に示すように平面視で相互に直角に接するように４本を備える。図１２は本願考案のコーキングノズルの使用して入隅部をコーキング施工する際の状態を示す説明図である。この１２図に示すように直線マークＴはコーキング施工時にコーキングノズルの維持すべき角度をチェックするものである。いずれの箇所をいずれの姿勢でコーキング施工する場合であっても、直線マークが４本あればコーキングノズルの維持すべき角度をチェックすることができるためである。
【００１１】
上記複数の直線マークＴのうちの少なくとも１本の直線マーク上には切断マークＡを備える。図１及び図３にはＡ１、Ａ２、Ａ３として示してある。このＡ１、Ａ２、Ａ３は例示であって、必要に応じて任意の数の切断マークを備えることもできる。この切断マークＡの近傍には、この切断マークにおいて軸方向と直交する直交切断面により形成されるコーキング剤の吐出口の直径を表す数字Ｍが記されている。
【００１２】
図５は、図１、図２に係るＤ−Ｄ断面図を示す。例えば、図１において、切断マークＡ２において軸方向と直角にノズル部を切断したときのＭ２は、図５におけるコーキング剤吐出口１３の直径Ｋの寸法を表している。この切断マークＡとこの切断マークＡにおいて軸方向と直交する直交切断面により形成されるコーキング剤の吐出口の直径を表す数字Ｍにより、コーキング施工者は、コーキングに必要なコーキングノズルの吐出口１３の口径を得ることができる。平面の目地を帯状にコーキングする場合には、目地幅寸法をこのコーキング剤の吐出口の直径を表す数字Ｍにすれば、目地を隙間なく且つ適量のコーキング剤で施工をすることができる。
【００１３】
上記複数の直線マークのうちの少なくとも（上述の切断マークＡが記されていない）他の一本の直線マーク上に記された他の切断マークＢを備える。図２及び図３にはＢ１、Ｂ２、Ｂ３として示してある。このＢ１、Ｂ２、Ｂ３は例示であって、必要に応じて任意の数の切断マークＢを備えることもできる。この切断マークＢの近傍には、この切断マークにおいて軸方向と直交する直交切断面により形成されるコーキング剤の吐出口の直径を２の平方根で除した数字Ｎが記されている。
【００１４】
図５は、図１、図２に係るＤ−Ｄ断面図を示す。この図５において、例えば図２において、切断マークＢ２において軸方向と直角に封し部を切断したときのＮ２は、図５におけるコーキング剤吐出口１３の直径Ｋの寸法を２の平方根で除した数字を表している。この切断マークＢとこの切断マークＢにおいて軸方向と直交する直交切断面により形成されるコーキング剤の吐出口の直径を２の平方根で除した数字Ｎにより、コーキング施工者は、入隅部をコーキングする場合のコーキング入隅幅Ｗ（図８参照）を決定すれば、このコーキングに必要なコーキングノズルの口径を得ることができる。即ち、Ｎはコーキング入隅幅の寸法を表している。
【００１５】
図６に表すように、本願コーキングノズルを用いて入隅部をコーキングする場合は、先ずノズル部の直線マーク上の切断マークＢを中心としてノズルの軸Ｘに対して傾斜してカットする。これにより傾斜面Ｓ３が現れる。次いで仮想延長面で相互に直角に交差するカット面Ｓ１及びカット面Ｓ２を作成し、次いでカット面Ｓ４を作成する。この場合に形成されるノズル吐出口１３の形状は、楕円形状をなる。この楕円の短径がコーキング剤のノズル口１３の口径がＫとなる。
【００１６】
図７は上述のように面Ｓ１〜Ｓ４を設けたコーキングノズル１１を用いてコーキング施工をする際の説明図である。図７は施工すべき入隅部の２面の壁にコーキングノズルのカット面Ｓ１及びＳ２を密着させた状態で、コーキング剤吐出口１３の中心で切断した切断断面の模式図を示している。この図７に示すようにカット面Ｓ１及びカット面Ｓ２を壁２００に密着させて直線マークＴが略中央にあることを確認する。次いで、コーキング剤２０１を吐出しつつ、２面の壁が形成する目地に対して一定の角度を保持し、この線に沿って本願コーキングノズルを移動させる。
【００１７】
図８は上記コーキングノズルを用いてコーキング施工した時のコーキング状態の説明図である。この図８において、Ｗは入隅部のコーキングをする場合の幅（「コーキング入隅幅」という。）を表す。コーキング表面２０２上における、壁と壁との最短距離は、吐出口１３の直径Ｋと略同一の寸法となる。従って、Ｋを２の平方根で除した値はコーキング入隅幅Ｗと略同一となる。施工者はコーキング施工後の壁と壁との距離の計測は困難であるが、コーキング入隅幅Ｗの寸法は容易に計測できる。従って、施工者はコーキング入隅幅Ｗを計測して、ノズルの数字Ｎのうちから一致するものを選択すれば、容易に必要とされるノズルの口径を得ることができる。
【００１８】
本願考案のコーキングノズルは、図９、図１０、図１１に示すようにノズル部１０の軸方向と直交する直交切断面形状が楕円であることが好ましい。図９は左側面図、図１０は平面図、図１１はＥ−Ｅ切断断面図である。また、図１０及び図１１が示すように複数の直線マークＴのうちの少なくとも一本の直線マークは上記楕円の長軸の一方の端点を通り、複数の直線マークのうちの少なくとも他の一本の直線マークＴは上記楕円の短軸の一方の端点を通ることが好ましい。図１２はコーキング施工をする際の説明図である。
【００１９】
この態様のノズルは、入隅部をコーキング施工する場合には、図６で示すカット面Ｓ１及びカット面Ｓ２の面積が大きくなる。このため、入隅部の２面の壁とカット面Ｓ１及びカット面Ｓ２の接触面積が大きくなり、コーキングノズルを安定して入隅部に密着できるため、コーキング施工が容易となる。また、複数の直線マークＴのうちの少なくとも一本の直線マークは上記楕円の長軸の一方の端点を通るため、入隅部のコーキング施工をする場合には、図１２に示すように直線マークＴを目印にコーキングノズルの角度をチェックすることができる。
【実施例１】
【００２０】
１．下記の諸元により本願考案のコーキングノズルを作成した。
（１）材質          ：ポリエチレン
（２）直線マーク    ：４本の直線マークを赤色で記した。
（３）この直線マーク上に３本の切断マークＡを記して、その横にコーキングノズル剤の吐出口の口径を表す数字として２．０ｍｍ、３．０ｍｍ、４．０ｍｍと黒色で記した。
（４）他の直線マーク上に３本の切断マークＢを記して、その横にコーキングノズル剤の吐出口の口径を２の平方根で除した数字を小数点１の位を丸めて２．０ｍｍ、３．０ｍｍ、４．０ｍｍと青色で記した。
２．目地の隙間が３ｍｍである平面をコーキングするため、切断マークＡの３．０ｍｍの箇所を軸Ｘと直角にノズル封し部を切断して、コーキング剤吐出口を形成した。次いでこのコーキングノズルにコーキング剤収納部を取付け、直線マークを目地の中央になるようにコーキングノズルを配置した。その後平面に対して略４５度の角度を保ちつつ、直線マークが目地の中央からそれないように施工した。コーキング剤の量が適切であって、仕上がりは美しいものであった。
３．コーキング入隅幅が３．０ｍｍの目地をコーキングするために、直線マークＢの３．０ｍｍの箇所を中心となるように斜めに切断して図６に示すカット面Ｓ１を形成した。次いで、図６に示すカット面Ｓ２、Ｓ３、Ｓ４を成形した。その後入隅部の壁とカット面Ｓ１、Ｓ２が密着させ、入隅部の２面が交差して形成する線に対して略４５度の角度で、直線マークが目地の中央になるように角度を保ちつつ施工した。コーキング剤の量が適切であって、仕上がりは美しいものであった。
【図面の簡単な説明】
【００２１】
【図１】本願考案のコーキングノズルの正面図である。
【図２】本願考案のコーキングノズル背面図である。
【図３】本願考案のコーキングノズル平面図である。
【図４】図３に係るＣ−Ｃ断面図である。
【図５】図１及び図２に係るＤ−Ｄ断面図である。
【図６】本願考案のコーキングノズルにカット面Ｓ１、Ｓ２、Ｓ３をＳ４を設けた説明図である。
【図７】コーキング施工をする際の説明図である。
【図８】コーキング状態の説明図である。
【図９】本願考案のコーキングノズルの他の態様の左面図である。
【図１０】本願考案のコーキングノズルの他の態様の平面図である。
【図１１】図９に係るＦ−Ｆ断面図である。
【図１２】本願考案のコーキングノズルの使用して入隅部をコーキング施工する際の状態を示す説明図である。
【符号の説明】
【００２２】
１      本願コーキングノズル
１０    ノズル部
１１    コーキング剤封止部
１２    ノズル取付け部
１３    コーキング剤吐出口
Ｔ      直線マーク
Ａ      切断マーク
Ａ１    例示した切断マーク
Ａ２    例示した切断マーク
Ａ３    例示した切断マーク
Ｍ      コーキング剤吐出口の直径を表す数字
Ｂ      他の直線マークに設けられた切断マーク
Ｂ１    例示した他の直線マークに設けられた切断マーク
Ｂ２    例示した他の直線マークに設けられた切断マーク
Ｂ３    例示した他の直線マークに設けられた切断マーク
Ｎ      入隅幅コーキング剤吐出口の直径を２の平方根で除した（入隅幅）数字
Ｋ      コーキング剤吐出口の口径
Ｘ      コーキングノズルの軸
Ｗ      コーキング入隅幅
【図１】
0003150055.tif 000003
【図２】
0003150055.tif 000004
【図３】
0003150055.tif 000005
【図４】
0003150055.tif 000006
【図５】
0003150055.tif 000007
【図６】
0003150055.tif 000008
【図７】
0003150055.tif 000009
【図８】
0003150055.tif 000010
【図９】
0003150055.tif 000011
【図１０】
0003150055.tif 000012
【図１１】
0003150055.tif 000013
【図１２】
0003150055.tif 000014